(57)【要約】【課題】入浴者の動きの誤検知を低減することができる浴室監視装置を提供する。【解決手段】画像の経時変化の状態により入浴者の動きを検出する動きセンサ３と、入浴者の動きが所定時間停止したときに異常を検知して警報を発する異常検知手段１９とを有する浴室監視装置であって、浴室内の物体の画像の経時変化の状態である変動パターンを記憶した変動パターン記憶手段１３と、動きセンサ３により検出される画像の経時変化の状態と、変動パターン記憶手段１３に記憶されている変動パターンとが一致しているか否かを判別する変動パターン検出手段１５と、検出された変動パターンを前記画像の経時変化の状態から除去する変動パターン除去手段１８とを設け、異常検知手段１９は、変動パターン除去手段１８により変動パターンが除去された画像の経時変化の状態に基づいて、入浴者の動きが停止したか否かを判別する。【選択図】図１
2004201815.tif 000002
【特許請求の範囲】
【請求項１】
画像の経時変化の状態により入浴者の動きを検出する動きセンサと、入浴者の動きが所定時間停止したときに異常を検知して警報を発する異常検知手段とを有する浴室監視装置であって、
浴室内の物体の画像の経時変化の状態である変動パターンを記憶した変動パターン記憶手段と、
前記動きセンサにより検出される画像の経時変化の状態と、前記変動パターン記憶手段に記憶されている変動パターンとが一致しているか否かを判別する変動パターン検出手段と、
検出された変動パターンを前記画像の経時変化の状態から除去する変動パターン除去手段とを設け、
前記異常検知手段は、変動パターン除去手段により変動パターンが除去された画像の経時変化の状態に基づいて、入浴者の動きが停止したか否かを判別することを特徴とする浴室監視装置。
【請求項２】
画像の経時変化の状態により入浴者の動きを検出する動きセンサと、入浴者の動きが所定時間停止したときに異常を検知して警報を発する異常検知手段とを有する浴室監視装置であって、
浴室内の音を検出する音センサと、
浴室内の物体の音パターンを記憶した音パターン記憶手段と、
前記音センサにより検出される音と、前記音パターン記憶手段に記憶されている音パターンとが一致しているか否かを判別する音パターン検出手段とを設け、
前記異常検知手段は、動きセンサにより入浴者の動きが検出されないとき又は音パターン検出手段により一致していると判別されたときに、入浴者の動きが停止したと判別することを特徴とする浴室監視装置。
【請求項３】
浴室内の音を検出する音センサと、
浴室内の物体の音パターンを記憶した音パターン記憶手段と、
前記音センサにより検出される音と、前記音パターン記憶手段に記憶されている音パターンとが一致しているか否かを判別する音パターン検出手段とを設け、
前記異常検知手段は、動きセンサにより入浴者の動きが検出されないとき又は音パターン検出手段により一致していると判別されたときに、入浴者の動きが停止したと判別することを特徴とする請求項１に記載の浴室監視装置。
【請求項４】
前記変動パターン検出手段は、前記動きセンサの検知する画像領域の一部の領域にある特有な画像の経時変化の状態に着目して、前記変動パターン記憶手段に記憶されている変動パターンを検出することを特徴とする請求項1又は請求項３に記載の浴室監視装置。
【請求項５】
前記動きセンサの検知する画像領域の一部の領域が複数設けられ、そのそれぞれの領域に特有な画像の経時変化の状態が存在し、前記変動パターン検出手段は、領域ごとに前記変動パターン記憶手段に記憶されている変動パターンを検出することを特徴とする請求項４に記載の浴室監視装置。
【発明の詳細な説明】
【０００１】
【発明の属する技術分野】
本発明は、入浴者の動きの誤検知を低減できる浴室監視装置に関する。
【０００２】
【従来の技術】
浴室での入浴者の異常を検出するために、画像処理や赤外線検知により人体を検出する人体センサを設けて、浴室内の入浴者の動きを監視する装置が知られている。従来の浴室監視装置は、人体センサにより浴室内を監視し、一定時間継続して入浴者の動きがなかった場合には、入浴者が寝ているかまたは倒れたと判断し、まず浴室用リモコンで警報音あるいは音声により注意を喚起し、入浴者の動きが所定時間無い場合には、台所用リモコンで警報音あるいは音声により異常が生じたことを家人に報知する（例えば、特許文献１参照）。
【０００３】
【特許文献１】
特開２００２−１５０４４７号公報  （第３頁、第１図）
【０００４】
【発明が解決しようとする課題】
一般に、浴室内では、入浴者の動きの他に、浴槽への足し湯、シャワー、湯気などの動きがあり、また、例えばジェットバスの使用中にはジェットバスの気泡の動きがある。しかしながら、上記特許文献１に開示された浴室監視装置は、これらの動きと入浴者の動きとを区別することができず、それが原因となって、入浴者が実際には動いていなくても、動いているものとして誤検知するという不具合がある。
【０００５】
本発明はかかる背景に鑑み、入浴者の動きの誤検知を低減することができる浴室監視装置を提供することを目的とする。
【０００６】
【課題を解決するための手段】
前記の目的を達成するために、本発明の浴室監視装置の第１の態様は、画像の経時変化の状態により入浴者の動きを検出する動きセンサと、入浴者の動きが所定時間停止したときに異常を検知して警報を発する異常検知手段とを有する浴室監視装置であって、浴室内の物体の画像の経時変化の状態である変動パターンを記憶した変動パターン記憶手段と、前記動きセンサにより検出される画像の経時変化の状態と、前記変動パターン記憶手段に記憶されている変動パターンとが一致しているか否かを判別する変動パターン検出手段と、検出された変動パターンを前記画像の経時変化の状態から除去する変動パターン除去手段とを設け、前記異常検知手段は、変動パターン除去手段により変動パターンが除去された画像の経時変化の状態に基づいて、入浴者の動きが停止したか否かを判別することを特徴とする。
【０００７】
かかる本発明によれば、変動パターン記憶手段は、浴室内の物体の画像の経時変化の状態である変動パターンを記憶している。浴室内の物体には、例えば、浴槽への足し湯、シャワーなどの湯水や湯気などを含む。そして、変動パターン検出手段は、動きセンサの画像の経時変化の状態と物体の変動パターンとを比較し、一致している変動パターンを検出する。この検出された変動パターンは、変動パターン除去手段により除去される。そして、異常検知手段は、物体の変動パターンが除去された画像により、入浴者の動きが停止したか否かを判別する。従って、入浴者の実際の動きに合わせた正確な検知を行うことができる。
【０００８】
また、前記の目的を達成するために、本発明の浴室監視装置の第２の態様は、画像の経時変化の状態により入浴者の動きを検出する動きセンサと、入浴者の動きが所定時間停止したときに異常を検知して警報を発する異常検知手段とを有する浴室監視装置であって、浴室内の音を検出する音センサと、浴室内の物体の音パターンを記憶した音パターン記憶手段と、前記音センサにより検出される音と、前記音パターン記憶手段に記憶されている音パターンとが一致しているか否かを判別する音パターン検出手段とを設け、前記異常検知手段は、動きセンサにより入浴者の動きが検出されないとき又は音パターン検出手段により一致していると判別されたときに、入浴者の動きが停止したと判別することを特徴とする。
【０００９】
かかる本発明によれば、浴室内の物体の音パターンを記憶した音パターン記憶手段を備える。音パターンとしては、例えば、シャワー音、ジェットバス音、赤ん坊の声などであり、入浴者が正常な状態で発する音と異なる蓋然性の高いものと考えられるような音が好ましい。音パターン検出手段は、音センサにより検出される音と、音パターン記憶手段に記憶されている音パターンとが一致しているか否かを判別する。一致しているときには、異常検知手段により入浴者の動きが停止したと判別される。従って、画像により入浴者の動きがあると判別された場合であっても予め記憶された音パターンが検出されるときには、異常を検知する態勢を整えることができるので、入浴者の動きがあると誤検知することを防止できる。
【００１０】
また、本発明の浴室監視装置の第１の態様は、さらに、浴室内の音を検出する音センサと、浴室内の物体の音パターンを記憶した音パターン記憶手段と、前記音センサにより検出される音と、前記音パターン記憶手段に記憶されている音パターンとが一致しているか否かを判別する音パターン検出手段とを設け、前記異常検知手段は、動きセンサにより入浴者の動きが検出されないとき又は音パターン検出手段により一致していると判別されたときに、入浴者の動きが停止したと判別するように構成することが好ましい。
【００１１】
かかる本発明によれば、異常検知手段は、音センサにより検出される音と音パターン記憶手段に記憶されている音パターンとが一致しているときには、入浴者の動きが停止したと判別する。また、音センサにより検出される音と音パターンとが一致していないときには、物体の変動パターンが除去された画像により、入浴者の動きが停止したか否かを判別する。従って、浴室内の音と、入浴者の動きとに合わせた正確な検知を行うことができ、誤検知を防止すると共に安全性を高めることができる。
【００１２】
また、本発明の浴室監視装置の第１の態様において、変動パターン検出手段は、前記動きセンサの検知する画像領域の一部の領域にある特有な画像の経時変化の状態に着目して、前記変動パターン記憶手段に記憶されている変動パターンを検出することが好ましい。
【００１３】
本願発明者の得た知見によれば、浴室の中で入浴者以外に動く物体は、浴室の構造や設備に係り所定の領域内で動く。かかる本発明によれば、変動パターン検出手段は、動きセンサの検知する全画像領域ではなく、その一部の領域にある特有な画像の経時変化の状態に着目するので、変動パターンを検出しやすくなり、また、演算処理に要する時間を短縮することができる。
【００１４】
また、本発明の浴室監視装置の第１の態様は、前記動きセンサの検知する画像領域の一部の領域が複数設けられ、そのそれぞれの領域に特有な画像の経時変化の状態が存在し、前記変動パターン検出手段は、領域ごとに前記変動パターン記憶手段に記憶されている変動パターンを検出することが好ましい。
【００１５】
かかる本発明によれば、前記動きセンサの検知する画像領域の一部の領域ごとに、入浴者の動きと異なる特有な画像の経時変化の状態を予め変動パターン記憶手段に記憶しておく。変動パターン検出手段により検出された変動パターンは、それぞれ変動パターン除去手段により除去されるので、入浴者の動きが停止しているか否かを正確に判別することができる。
【００１６】
【発明の実施の形態】
（第１の実施形態）本発明の第１の実施形態を図１〜図５を参照して説明する。図１は本発明の第１の実施形態の浴室監視装置の構成図である。図１を参照して、浴室監視装置１は、コントロールユニット２と、該コントロールユニット２に信号線でそれぞれ接続された動きセンサ３と、浴室ユニット５と、キッチンユニット６とを備える。
【００１７】
コントロールユニット２は、後述するように、浴室を監視して異常を検知した場合に警報を発する処理を行う。動きセンサ３は、例えば、人工網膜ＬＳＩを利用し、時間の異なる２つの画像の差分をとることで物体の動きを検出する撮像装置から構成され、浴室の壁面上部に配設される。なお、赤外線センサやＣＣＤカメラを利用するようにしてもよい。浴室ユニット５は、浴室の壁面に配設されて、スピーカ７から警報を発する。キッチンユニット６は、キッチンの壁面に配設され、スピーカ８から警報を発する。なお、ダイニングルームやリビングルームに配設してもよい。
【００１８】
コントロールユニット２は、Ｉ／Ｏユニット９と、記憶装置１０と、制御装置１１を備える。記憶装置１０は、ＲＯＭ、ＲＡＭ、ＥＥＰＲＯＭ等により構成され、主記憶部１２と、変動パターン記憶部１３とを備える。主記憶部１２は、各種データや、後述する制御装置１１が行う処理に必要なプログラム等を記憶保持する。変動パターン記憶部１３は、本発明の変動パターン記憶手段に相当し、後述のように浴室内の物体の変動パターンをエリア別に記憶する。
【００１９】
制御装置１１は、マイクロプロセッサ等により構成され、機能的に、パターン設定部１４と、変動パターン検出処理部１５と、マスク処理部１８と、異常検知制御部１９とを備える。パターン設定部１４は、浴室内の物体の動きを変動パターン記憶部１３に設定する。
【００２０】
変動パターン検出処理部１５は、本発明の変動パターン検出手段に相当し、変動パターン記憶部１３に記憶された変動パターンと、動きセンサ３の捉える画像の経時変化の状態とを比較し、変動パターンを検出する処理を行う。マスク処理部１８は、本発明の変動パターン除去手段に相当し、変動パターン検出処理部１５により変動パターンが検出されたときに、検出された変動パターンを、動きセンサ３の検出する画像の経時変化の状態から除去する処理（マスク処理）を行う。
【００２１】
異常検知制御部１９は、本発明の異常検知手段に相当し、マスク処理部１８の出力データに基づいて入浴者の動きが停止したか否かを判別する。そして、入浴者の動きが停止したと判別したときに所定時間Ｔ１（例えば、１０分間）の計時を開始し、計時中に入浴者が動いたと判別したときには計時をキャンセルする。また、異常検知制御部１９は、所定時間Ｔ１の計時が終了したとき（異常を検知したとき）に浴室に警報を発する制御を行う。引き続き、入浴者の動きが停止していると判別したときには、警報を発する制御を所定の時間間隔Ｔ２（例えば１分間）で所定回数Ｘ（例えば３回）繰り返した後、キッチンユニット６のスピーカ８から警報を出力する処理を行う。
【００２２】
次に、浴室内の物体の変動パターンの例を図２〜図５を参照して説明する。図２は、動きセンサ３の検知領域２０を示す図であり、図３〜図５は、それぞれ図２の拡大図である。図２を参照して、この浴室は、ジェットバス（浴槽）２１と、シャワー２２と、窓２３と、カーテン２４と、ミストサウナ装置２５を備える。
【００２３】
動きセンサ３の検知領域２０には、例えば、物体の変動が生じやすい５つのエリアＡ〜Ｅが設けられている。すなわち、ジェットバス２１の上面（エリアＡ）、ジェットバス２１の側面（エリアＢ）、シャワー２２およびミストサウナ装置２５周辺（エリアＣ）、窓２３周辺（エリアＤ）、中心部（エリアＥ）である。
【００２４】
上記エリアＡ〜Ｅ毎に、コントロールユニット２の記憶装置１０の変動パターン記憶部１３には、以下の８つの変動パターンが登録されている。エリアＡにおいて、図３示の矢印３６の方向の直線的な動き（パターン１）と、矢印３７で示される回転動作（パターン２）。エリアＢにおいて、図３示の矢印３８の方向の直線的な動き（パターン３）。エリアＣにおいて、図４示の矢印３９の方向の動き（パターン４）と、矢印４０の方向の曲線的な動き（パターン５）。エリアＤにおいて、図５示の矢印４１の方向の動き（パターン６）と照度の急激な変化（パターン７）。図２示のエリアＥにおけるランダムな動き（パターン８）。
【００２５】
次に、第１の実施形態の浴室監視装置１の具体的な動作を説明する。入浴者が浴室に入室すると、動きセンサ３は入浴者の動きを検知する動作を始める。動きセンサ３は動作を開始すると、所定期間内に捉えた２枚の画像の変化を示すデータをコントロールユニット２の制御装置１１の変動パターン検出処理部１５とマスク処理部１８とに所定のタイミングで出力し続ける。
【００２６】
変動パターン検出処理部１５は、動きセンサ３の出力データと、変動パターン記憶部１３に記憶された変動パターンとをエリアＡ〜Ｅについて順次比較する。そして、変動パターンを検出したときに、どのエリアでどんな変動パターンが検出されたのかを示す検出情報をマスク処理部１８に供給する。例えば、エリアＡにおいてのみ、図３示の矢印３６の方向の直線的な動き（パターン１）を検出したときには、ジェットバスの気泡の流れがあるということである。変動パターン検出処理部１５によりパターン1が検出されたときに、マスク処理部１８は動きセンサ３の出力データからパターン１を除去する処理を行う。すなわち、動きセンサ３の検出する浴室内の画像において、ジェットバス２１の水面の画像がマスク処理される。このマスク処理された画像データが変動パターン検出処理部１５から異常検知制御部１９に出力される。
【００２７】
異常検知制御部１９は、マスク処理されたデータに基づいて入浴者の動きが停止したか否かを判別する。そして、入浴者の動きが停止したときに、所定時間Ｔ１（例えば、１０分間）の計時が開始される。以降の動作を異常検知動作と呼ぶ。
【００２８】
異常検知動作中に、入浴者が動くと、動きセンサ３は入浴者の動きを検出し、所定時間Ｔ１の計時がキャンセルされる。一方、入浴者が動かずにいると、入浴者が動きを停止してから所定時間Ｔ１後に異常が検知されて、浴室ユニット５のスピーカ７から警報（ブザーまたは音声）が出力される。引き続き、入浴者の動きが停止しているときには、警報を発してから時間間隔Ｔ２（例えば１分間）で所定回数Ｘ（例えば３回）浴室への警報が繰り返された後、キッチンユニット６のスピーカ８から警報が鳴る。
【００２９】
上記実施例では、変動パターン検出処理部１５は、パターン１を検出し、マスク処理部１８は、ジェットバスの水面の画像をマスク処理するものとしたが、これ以外に、パターン２からパターン８の変動パターンを検出した場合には、以下の（１）〜（７）のようにマスク処理部１８によってマスク処理される。
【００３０】
（１）変動パターン検出処理部１５が、エリアＡにおいて、図３示の矢印３７で示される回転動作（パターン２）を検出したときには、浴槽２１の水面に、例えば、子供のおもちゃ、柚子、菖蒲などが浮いているということである。この場合には、動きセンサ３の検出する浴室内の画像において、ジェットバス２１の水面の画像がマスク処理される。
【００３１】
（２）変動パターン検出処理部１５が、エリアＢにおいて、図３示の矢印３８の方向の直線的な動き（パターン３）を検出したときには、浴槽２１の足し湯があふれ出ているということである。この場合には、動きセンサ３の検出する浴室内の画像において、ジェットバス２１の側面の画像がマスク処理される。
【００３２】
（３）変動パターン検出処理部１５が、エリアＣにおいて、図４示の矢印３９の方向の動き（パターン４）を検出したときには、シャワーの飛沫が撥ねている状態であるということである。この場合には、動きセンサ３の検出する浴室内の画像において、洗い場床面におけるシャワーの飛沫の画像がマスク処理される。
【００３３】
（４）変動パターン検出処理部１５が、エリアＣにおいて、図４示の矢印４０の方向の曲線的な動き（パターン５）を検出したときには、ミストサウナ装置２５からミストが噴出しているということである。この場合には、動きセンサ３の検出する浴室内の画像において、ミストサウナ装置２５の上方の画像がマスク処理される。
【００３４】
（５）変動パターン検出処理部１５が、エリアＤにおいて、図５示の矢印４１の方向の動き（パターン６）を検出したときには、風でカーテン２４が揺れているということである。この場合には、動きセンサ３の検出する浴室内の画像において、カーテン２４周辺の画像がマスク処理される。
【００３５】
（６）変動パターン検出処理部１５が、エリアＤにおいて、照度の急激な変化（パターン７）を検出したときには、窓２３に映った木漏れ日などの日光の変動があるということである。この場合には、動きセンサ３の検出する浴室内の画像において、窓２３の画像がマスク処理される。
【００３６】
（７）変動パターン検出処理部１５が、エリアＥにおけるランダムな動き（パターン８）を検出したときには、湯気の動きがあるということである。この場合には、動きセンサ３の検出する浴室内の画像において、エリアＥの画像がマスク処理される。
【００３７】
上記パターン１〜パターン８は、浴室内の各事象について単独のマスク処理を行うものとして説明したが、複数の変動パターンが検出されたときには、複合したマスク処理が行われる。
【００３８】
本実施形態によれば、動きセンサの検知領域の画像データから入浴者以外の物体の動きを除去した画像の経時変化の状態に基づいて入浴者の動きが停止したか否かが判別されるので、入浴者の動きを正確に検出することができる。
【００３９】
なお、本実施形態では、動きセンサ３の検知領域２０の一部に、物体の変動が生じやすいエリア（領域）を複数設けたが、浴室の構造や付属物の有無により、エリアの数を１つだけ設けるようにしてもよい。この場合には、エリアを複数設けたときに比べて短時間で変動パターンの有無を確認できる。また、変動パターン検出処理部１５は、動きセンサ３の検知領域２０全体について、物体の変動が有るか否か確認するように構成してもよい。この場合には、例えば浴室のいたる所で発生する湯気の動きを検出し、その動きを除去することができる。
【００４０】
（第２の実施形態）図６は、第２の実施形態の浴室監視装置の構成図である。この浴室監視装置２１は、浴室内の音を検出する機能を有し、音センサ２２と、音パターン記憶部２３と、音パターン検出処理部２５とを備える点を除いて、第１の実施形態と同様な構成である。従って、第１の実施形態と同一の構成には同一の参照番号を付与し説明を省略する。
【００４１】
音センサ２２は、例えば、マイクロホンであり、コントロールユニット２に信号線を介して接続されると共に、浴室壁面に配設されている。なお、浴室ユニット５と一体的に構成してもよい。音パターン記憶部２３は、本発明の音パターン記憶手段に相当し、コントロールユニット２の記憶装置１０に備えられ、物体の音パターンを記憶している。例えば、物体の音パターンとしてシャワー音（パターン１１）、ジェットバス音（パターン１２）、赤ん坊の泣き声（パターン１３）、およびペットの鳴き声（パターン１４）が記憶されている。
【００４２】
音パターン検出処理部２５は、本発明の音パターン検出手段に相当し、コントロールユニット２の制御装置１１に備えられる。そして、音センサ２２に入力する音と、音パターン記憶部２３に記憶された音パターンが一致するか否かを判別する。両者が一致しないときにはＬレベルの制御信号Ｓ１を異常検知制御部１９に供給し、一致したときにはＨレベルの制御信号Ｓ２を異常検知制御部１９に供給するものとする。
【００４３】
パターン設定部１４は、浴室内の物体の音を音パターン記憶部２３に設定する。異常検知制御部１９は、音パターン検出処理部２５からＬレベルの制御信号Ｓ１が供給されたときには、マスク処理部１８の出力データに基づいて、入浴者の動きが停止しているか否かを判別する。また、音パターン検出処理部２５からＨレベルの制御信号Ｓ２が供給されたときには、入浴者の動きが停止しているものと判別する。
【００４４】
上記構成の浴室監視装置２１は、以下のように動作する。入浴者が浴室に入室すると、動きセンサ３が入浴者の動きを検知する動作を始めると共に、音センサ２２に浴室内の音が入力され始める。動きセンサ３は動作を開始すると、所定期間内に捉えた２枚の画像の変化を示すデータをコントロールユニット２の制御装置１１の変動パターン検出処理部１５とマスク処理部１８とに所定のタイミングで出力し続ける。また、音パターン検出処理部２４は、音センサ２２に入力する音と、音パターン記憶部２３に設定された音パターンとを比較し続ける。
【００４５】
音パターン検出処理部２４は、パターン１１〜パターン１４の音パターンが検出できないときには、Ｌレベルの制御信号Ｓ１を異常検知制御部１９に供給する。このとき、異常検知制御部１９は、第1の実施形態と同様にして、マスク処理部１８の出力データに基づいて入浴者の動きが停止しているか否かを判別する。そして、入浴者の動きが停止したときに所定時間Ｔ１（例えば、１０分間）の計時が開始される。以下第１の実施形態と同一の異常検知動作を行う。
【００４６】
一方、音パターン検出処理部２４がパターン１１〜パターン１４のうちのいずれかを検出したときには、以下のように動作する。例えば、シャワー音（パターン１１）が検出されたとすると、音パターン検出処理部２４は、Ｈレベルの制御信号Ｓ２を異常検知制御部１９に供給する。このとき、異常検知制御部１９は、入浴者の動きが停止しているものと判別する。そして、所定時間Ｔ１（例えば１０分間）の計時が開始される。以下第１の実施形態と同一の異常検知動作を行う。
【００４７】
以上説明したように、入浴者が入浴中に、例えばシャワー音やジェットバス音しか検出されないときには、入浴者が寝ているか倒れている蓋然性が高いと考えられるが、このような場合に本第２の実施形態の浴室監視装置２１は、予め設定されたシャワー音やジェットバス音の音パターンを検出することにより入浴者の動きが停止したものと判別し、異常検知動作を行うことができる。また、従来、赤ん坊やペットを連れて入浴している入浴者が倒れてしまったときに、動きセンサ３により赤ん坊やペットの動きが検出されると浴室内の異常を検知することが困難であった。しかしながら、このような場合であっても、本第２の実施形態によれば、予め設定された赤ん坊やペットの音パターンを検出することにより、入浴者の動きが停止したものと判別し、異常検知動作を行うことができる。従って、入浴者が実際には動いていないのに動いていると誤検知することを低減することができる。
【００４８】
尚、本発明の浴室監視装置は、上記第２の実施形態のコントロールユニット１において、変動パターン記憶部１３、変動パターン検出処理部１５、およびマスク処理部１８を取り除いた構成として、動きセンサ３により入浴者の動きが検出されないとき又は設定された音パターンを検出したときに、異常検知制御部１９が入浴者の動きが停止したものと判別するように構成してもよい。
【図面の簡単な説明】
【図１】第１の実施形態の浴室監視装置の構成図。
【図２】動きセンサの検知領域を示す図。
【図３】図２のエリアＡおよびＢの拡大図。
【図４】図２のエリアＣの拡大図。
【図５】図２のエリアＤの拡大図。
【図６】第２の実施形態の浴室監視装置の構成図。
【符号の説明】
１，２１・・・浴室監視装置、２・・・コントロールユニット、３・・・動きセンサ、５・・・浴室ユニット、６・・・キッチンユニット、７，８・・・スピーカ、９・・・Ｉ／Ｏユニット、１０・・・記憶装置、１１・・・制御装置、１２・・・主記憶部、１３・・・変動パターン記憶部、１４・・・パターン設定部、１５・・・変動パターン検出処理部、１８・・・マスク処理部、１９・・・異常検知制御部、２０・・・検知領域、２２・・・音センサ、２３・・・音パターン記憶部、２５・・・音パターン検出処理部。
【図１】
2004201815.tif 000003
【図２】
2004201815.tif 000004
【図３】
2004201815.tif 000005
【図４】
2004201815.tif 000006
【図５】
2004201815.tif 000007
【図６】
2004201815.tif 000008